(57)【要約】【課題】支柱支持部を高くしても支柱支持部のねじれを防止できると共に支柱固定具で支柱を強固に固定できる手摺を提供する。【解決手段】本発明の手摺１は、中空の支柱９と、支柱固定具１１とを備え、支柱固定具１１は、躯体に固定する躯体固定部１３と、支柱９の中空内に挿入して支柱９を支持する支柱支持部１５とを有し、支柱支持部１５には、見込み面に開口する略三角形状の中空部２５ａ、２５ｂ、２５ｃを略三角形の頂部２４が互い違いに向きを変えて上下方向に複数設けてある。【選択図】図１
2010077707.tif 000002
【特許請求の範囲】
【請求項１】
中空の支柱と、支柱固定具とを備え、支柱固定具は、躯体に固定する躯体固定部と、支柱の中空内に挿入して支柱を支持する支柱支持部とを有し、支柱支持部には、見込み面に開口する略三角形状の中空部を略三角形の頂部が互い違いに向きを変えて上下方向に複数設けてあることを特徴とする手摺。
【請求項２】
支柱支持部は、見込み方向の少なくとも一側の上端部に上方へ突設する突出部を有することを特徴とする請求項１に記載の手摺。
【請求項３】
複数の略三角形状中空部は、上方の中空部ほど中空の面積を大きくしてあることを特徴とする請求項１又は２に記載の手摺。
【発明の詳細な説明】
【技術分野】
【０００１】
本発明は、バルコニーや廊下等に設置する手摺に関する。
【背景技術】
【０００２】
特許文献１には、躯体に固定した支柱固定具の支柱支持部に、中空の支柱を挿入して、支柱支持部で支柱を支持する手摺が開示されている。
この特許文献１の技術では、支柱固定具の支柱支持部には、見付け面に開口する四角形状の中空部を設けている。
【０００３】
【特許文献１】特開平７−３３１８３０号公報
【発明の開示】
【発明が解決しようとする課題】
【０００４】
一般に、この種の手摺では人が寄りかかることにより内側から外力が作用したり、強風等により外側から外力が作用した場合に、支柱が傾かないように強固に固定する為に、支柱支持部をできるだけ高くする必要がある。
しかし、特許文献１の技術では、支柱支持部の見付け面に四角形状の中空部を設けた構成であるから、支柱支持部を高くした場合に支柱支持部がねじれ易くなるとう問題がある。
【０００５】
そこで、本発明は、支柱支持部を高くしても支柱支持部のねじれを防止できると共に支柱固定具で支柱を強固に固定できる手摺の提供を目的とする。
【課題を解決するための手段】
【０００６】
請求項１に記載の発明は、中空の支柱と、支柱固定具とを備え、支柱固定具は、躯体に固定する躯体固定部と、支柱の中空内に挿入して支柱を支持する支柱支持部とを有し、支柱支持部には、見込み面に開口する略三角形状の中空部を略三角形の頂部が互い違いに向きを変えて上下方向に複数設けてあることを特徴とする。
【０００７】
請求項２に記載の発明は、請求項１に記載の発明において、支柱支持部は、見込み方向の少なくとも一側の上端部に上方へ突設する突出部を有することを特徴とする。
【０００８】
請求項３に記載の発明は、請求項１又は２に記載の発明において、複数の略三角形状中空部は、上方の中空部ほど中空の面積を大きくしてあることを特徴とする。
【発明の効果】
【０００９】
請求項１に記載の発明によれば、支柱固定具の支柱支持部は、見込み面に開口する複数の三角形状中空部を三角形の頂部が互い違いに向きを変えて上下方向に複数設けて、トラス構造としているので、支柱支持部を高くしてもねじれが生じ難いと共に支柱を従来よりも高い位置で固定できるから、支柱固定具で支柱を強固に固定することができる。
【００１０】
請求項２に記載の発明によれば、請求項１に記載の作用効果を奏すると共に支柱支持部には、見込み方向の少なくとも一側（外側又は内側）の上端部に突出部を設けているので、手摺に複数人が寄りかかる等により内側から過度の外力を受けたり、又は台風等により外側から過度の外力を受けた場合に、支柱は支柱支持部の突出部に押付けられるが、支柱支持部の突出部が変形することで、支柱の変形や損傷を防止できる。
【００１１】
請求項３に記載の発明によれば、請求項１又は２に記載の作用効果を奏すると共に支柱支持部は下側ほど要求される強度が高いので、複数の三角形状中空部を上側ほど面積が大きくしてあることにより、要求される強度分布に適合できると共に支柱固定具の材料を少なくできる。
【発明を実施するための最良の形態】
【００１２】
以下に、添付図面を参照して本発明の第１実施の形態を説明する。図１（ａ）は図３のＡ−Ａ断面図であり、（ｂ）は（ａ）に示す支柱固定具の側面図であり、図２は図３のＢ−Ｂ断面図であり、図３は本発明の第１実施の形態に係る手摺を内側から見た正面図である。
本実施の形態に係る手摺１は、バルコニーに設けるものであり、図３に示すように、支柱９と、支柱固定具１１と、格子５とを備え、格子５は下胴縁７と笠木８とにより支柱９、９間に取付けてある。
支柱９は、図２に示すように、四角筒形状であり、内部が横断面四角形の中空１３になっている。
図１（ｂ）に示すように、支柱固定具１１は押出形材であり、躯体固定部１３と、躯体固定部１３の上に設けた支柱支持部１５とから構成されている。図１（ａ）に示すように、躯体固定部１３は、固定ボルト１４により躯体１６に固定してあり、固定ボルト１４は躯体１６に形成したボルト挿通孔１７に樹脂材を充填して固定されている。
支柱支持部１５は、内側壁１９と外側壁２１とを間隔をあけて互いに平行に設けてある。内側は人が位置する側であり、外側は人が位置しない側である。
支柱支持部１５には、見込み面に開口する略三角形状の中空部２５ａ、２５ｂ、２５ｃが上下方向に複数設けてあり、これらの略三角形状の中空部のうちの一番下に位置する略三角形状の中空部２５ａの下には、略六角形状中空部２６が設けてある。各中空部２５ａ、２５ｂ、２５ｃ、２６は支柱支持部１５の見付け方向に亘って設けてある。
本実施の形態では、一番下の略三角形状中空部２５ａは正三角形であり、下から２番目及び３番目の中空部２５ｂ、２５ｃは二等辺三角形であり、一番下の略三角形状中空部２５ａ、下から２番目の略三角形状中空部２５ｂ、３番目の略三角形状中空部２５ｃを順番として、三角形の底辺部を次第に大きくしてあり、略三角形状中空部２５ａ、２５ｂ、２５ｃの中空の面積を上方の略三角形状中空部ほど大きくしてある。また、各略三角形状中空部２５ａ、２５ｂ、２５ｃは、略三角形の頂部２４が外側と内側とに互い違いに向きを変えて配置されている。
内側壁１９と外側壁２１の各厚みは、略六角形中空部２６のある部分の厚みｔ１と、一番下の略三角形状中空部２５ａのある部分の厚みｔ２、下から２番目の略三角形状中空部２５ｂ及び最上の略三角形状中空部２５ｃの厚みｔ３は、ｔ１＞ｔ２＞ｔ３の関係にある。
支柱固定具１１の上端部では、最上に位置する略三角形状中空部２５ｃの角部２７が内側に位置しており、外側には上方へ突出する突出部２９が設けてある。この突出部２９の先端は、最上の略三角形状中空部２５ｃの角部２７と略同じ高さである。
突出部２９は、先端部の厚みｔ４が上端ほど徐々に厚みを薄くしており、ｔ３＞ｔ４の関係にしてある。
支柱９は、その内側面が上下２箇所で支柱固定具１１にねじ３１ａ、３１ａにより固定されており、外側面も上下２箇所で支柱固定具１１にねじ３１ｂ、３１ｂにより固定されている。支柱９の外側上部を止めるねじ３１ｂは突出部２９に止めてあり、内側上部を止めるねじ３１ａは一番上の略三角形状中空部２５ｃの上部に止めてある。
尚、図３に示すように、支柱９の見込み面には、格子３の下胴縁７がＬ字金具３３によりねじ固定されており、支柱９の上端には笠木８が取付けられている。
【００１３】
次に、第１実施の形態に係る手摺１の施工、作用及び効果について説明する。
手摺１の施工は、支柱９を取付ける位置の躯体１６にボルト挿通孔１７をあけて支柱固定具１１に挿通した固定ボルト１４をボルト挿通孔１７に挿入し、ボルト挿通孔１７に樹脂を充填して躯体１６に支柱固定具１１を固定する。
支柱固定具１１を躯体１６に固定した後、支柱固定具１１の支柱支持部１５に上方から支柱９を挿通し、支柱９の室内側面と室外側面とを支柱固定具１１にねじ３１ａ、３１ｂで固定し、格子５の下胴縁７をＬ字金具３３で支柱９にねじ固定する。
第１実施の形態に係る手摺１によれば、支柱固定具１１の支柱支持部１５は見込み面に開口する複数の三角形状中空部２５ａ、２５ｂ、２５ｃを上下方向に設けて、トラス構造としているので、支柱支持部１５の高さを高くしてもねじれを防止でき且つ支柱９を従来よりも高い位置で固定できるので、支柱固定具１１で支柱９を強固に固定できる。
従って、例えば内側から人が寄りかかって手摺１に内側から外側へ向かう外力がかかったり、風圧等により外側から内側に向かう外力がかかった場合でも、これらの外力に対して、支柱９を強固に固定することができる。
支柱支持部１５は下側ほど要求される強度が高いので、複数の三角形状中空部２５ａ、２５ｂ、２５ｃを上側ほど面積が大きくしてあることにより、要求される強度分布に適合できると共に使用材料を低減できる。
台風等により手摺１に外側から過度の風圧を受けて支柱９が支柱支持部１５の上端部に押付けられた場合には、支柱支持部１５には外側の上方に突出部２９を設けているので、この突出部２９が支柱９の力を受けて変形することで、支柱９の外側面の変形や損傷を防止できる。更に、突出部２９は上端ほど厚みｔ４を薄くしているので、上端ほど変形し易くしているから支柱９が受けた外力に追従して変形しやすい。
また、本実施の形態では、突出部２９の先端と最上位置にある略三角形状中空部２５ｃの角部２７を略同じ高さとしてあり、内側壁１９と外側壁２１とが同じ高さなので、支柱９を突出部２９にねじ止めすることにより、内側と外側とが同じ高い位置で支柱９を支柱固定具１１にねじ３１ａ、３１ｂで固定できる。従って、支柱９を安定に支柱固定具１１に固定することができる。
【００１４】
以下に、本発明の他の実施の形態について説明するが、以下に説明する実施の形態において、上述した第１実施の形態と同一の作用効果を奏する部分には、同一の符号を付することによりその部分の詳細な説明を省略し、以下の説明では上述した第１実施の形態と主に異なる点を説明する。
図４を参照して第２実施の形態を説明する。図４は第２実施の形態に係る手摺１に用いられる支柱固定具１１の側面図である。この第２実施の形態では、支柱固定具１１の突出部２９を内側壁１９に設け、外側壁２１に設けていないことが第１実施の形態と異なっている。尚、この第２実施の形態では、格子５は第１実施の形態よりも格子の目を大きくしてあり、外側からの風圧を受けに難いものが用いられている。
【００１５】
この第２実施の形態によれば、第１実施の形態と同様に、支柱固定具１１の支柱支持部１５は見付け方向に複数の三角形状中空部２５ａ、２５ｂ、２５ｃを設けてトラス構造としているので、支柱支持部１５の高さを高くしてもねじれを防止でき且つ支柱９を従来よりも高い位置で固定できるので、支柱固定具１１で支柱９を強固に固定できる。また、複数の三角形状中空部２５ａ、２５ｂ、２５ｃを上側ほど面積が大きくしてあることにより、要求される強度分布に適合できると共に使用材料を低減できる。
更に、第２実施の形態によれば、多数の人が手摺１に寄りかかって内側から過度の外力を受けて支柱支持部１５の上端部が支柱９に押付けられた場合には、支柱支持部１５には、内側の上方に突出部２９を設けているので、支柱支持部１５の突出部２９が変形することで、支柱９の内側面の変形や損傷を防止できる。また、第１実施の形態と同様に、突出部２９は上端ほど厚みｔ４を薄くしているので、上端ほど変形し易くしているから支柱９が受けた外力に追従して変形しやすい。
【００１６】
図５を参照して第３実施の形態を説明する。図５は第３実施の形態に係る手摺１に用いられる支柱固定具１１の側面図である。この第３実施の形態では、支柱固定具１１の突出部２９を内側壁１９と外側壁２１の両方に設けていること、及び突出部２９は、先端部の厚みｔ３が基端部の厚みｔ３と略同じであり、先端ほど厚みを薄くしていないことが第１実施の形態と異なっている。
【００１７】
この第３実施の形態によれば、突出部２９の厚みが先端ほど薄くしている構成及び内側壁１９と外側壁２１との高さを同じにしている構成の作用効果を除いて第１実施の形態と同様な作用効果を得ることができると共に、内側及び外側から過度の外力が支柱９に作用した場合に、各々の場合に突出部２９が変形して支柱９の変形や損傷を防止することができる。
支柱固定具１１には、その内側壁１９と外側壁２１の両方の上端部に各々突出部２９を設けているので、各突出部２９に支柱９をねじ３１ａ、３１ｂで止めることにより、支柱９を内側と外側との両方をより高い位置で支柱固定部１５にねじ止めができる。
【００１８】
図６を参照して第４実施の形態を説明する。図６は第４実施の形態に係る手摺１に用いられる支柱固定具１１の側面図である。この第４実施の形態では、支柱固定具１１の内側壁１９及び外側壁２１のいずれにも、突出部２９を設けていないことが第１実施の形態と異なっている。
【００１９】
この第４実施の形態によれば、突出部２９の作用効果を除いて第１実施の形態と同様な作用効果を得ることができる。即ち、第４実施の形態によれば、支柱固定具１１の支柱支持部１５は、見込み面に複数の三角形状中空部を三角形の頂部が互い違いに向きを変えて上下方向に複数設けて、トラス構造を形成しているから、支柱支持部１５の高さを高くしてもねじれを防止でき且つ支柱９を従来よりも高い位置で固定できるので、支柱固定具１１で支柱９を強固に固定できる。
【００２０】
本発明は、上述した実施の形態に限らず、本発明の要旨を逸脱しない範囲で種々変形可能である。
例えば、手摺１は、バルコニーの手摺に限らず、廊下や階段等の手摺であっても良い。
略三角形状の中空部２５において、一番下の中空部を正三角形状にすることに限らず、二等辺三角形にしてもよいし、各辺の長さが異なる三角形にしても良い。同様に下から２番目、３番目の中空部２５ｂ、２５ｃにおいても、二等辺三角形にすることに限らず、正三角形や各辺の長さが異なる三角形にしても良い。
支柱９、９間には、格子５に換えてパネルを設けても良い。
図４に示す支柱固定具１１及び図５に示す支柱固定具１１は、各々内側と外側を逆にして用いても良い。
第１実施の形態において、図１（ｂ）に示す支柱固定具１１に換えて、図４に示す支柱固定具１１を室内側と室外側とを逆にして用いても良いし、第２実施の形態において、図４に示す支柱固定具１１に換えて、図１（ｂ）に示す支柱固定具１１を室内側と室外側とを逆にして用いても良い。
【図面の簡単な説明】
【００２１】
【図１】（ａ）は図３のＡ−Ａ断面図であり、（ｂ）は（ａ）に示す支柱固定具の側面図である。
【図２】図３のＢ−Ｂ断面図である。
【図３】第１実施の形態に係る手摺を内側から見た正面図である。
【図４】第２の実施の形態に係る手摺に用いられる支柱固定具の側面図である。
【図５】第３の実施の形態に係る手摺に用いられる支柱固定具の側面図である。
【図６】第４の実施の形態に係る手摺に用いられる支柱固定具の側面図である。
【符号の説明】
【００２２】
１      手摺
９      支柱
１１    支柱固定具
１３    躯体固定部
１５    支柱支持部
１６    躯体
２４    頂部
２５ａ  一番下の略三角形状中空部
２５ｂ  下から２番目の略三角形状中空部
２５ｃ  一番上の略三角形状中空部
２９    突出部
【図１】
2010077707.tif 000003
【図２】
2010077707.tif 000004
【図３】
2010077707.tif 000005
【図４】
2010077707.tif 000006
【図５】
2010077707.tif 000007
【図６】
2010077707.tif 000008